(57)【要約】【課題】  多量に血液を吸収しても液戻りが少ない吸収性物品（生理用ナプキン等）を提供すること。【解決手段】  本発明の吸収性物品は、血液凝固剤を含んでなる。血液凝固剤としては、水溶性の金属塩化合物等を用いることができ、Ｃｕ（II）、Ｆｅ（III）、Ａｇ（I）、Ｆｅ（II）、Ｔｉ（IV）、Ｎｉ（II）から選ばれる１種又は２種以上の金属塩化合物であることが好ましい。吸収性物品としては、生理用ナプキン、タンポン、パンティーライナー等が挙げられる。【選択図】    なし【特許請求の範囲】
【請求項１】
血液凝固剤を含んでなる吸収性物品。
【請求項２】
前記血液凝固剤が、金属塩化合物である請求項１記載の吸収性物品。
【請求項３】
前記金属塩化合物が、水溶性である請求項２記載の吸収性物品。
【請求項４】
前記金属塩化合物が、Ｃｕ（II）、Ｆｅ（III）、Ａｇ（I）、Ｆｅ（II）、Ｔｉ（IV）、Ｎｉ（II）から選ばれる１種又は２種以上の金属塩化合物である請求項２に記載の吸収性物品。
【請求項５】
前記血液凝固剤を１．０〜４０質量％含んでなる請求項１〜４のいずれかに記載の吸収性物品。
【請求項６】
前記吸収性物品が、液透過性のトップシートと、液不透過性のバックシートと、前記バックシートと前記トップシートの間にある吸収性コアとを含んでなる請求項１〜５のいずれかに記載の吸収性物品。
【請求項７】
前記血液凝固剤が、吸収性コアに含有されている請求項６記載の吸収性物品。
【発明の詳細な説明】
【技術分野】
【０００１】
本発明は、生理用ナプキン、タンポン、パンティーライナー等の吸収性物品に関する。
【背景技術】
【０００２】
従来、体液を吸収することを目的とした紙おむつ、生理用ナプキンなどの吸収性物品では、その構成材料にパルプや高吸水性ポリマーが幅広く利用されている。しかし、パルプの吸収機構は毛細管現象であるため、吸収量が低く、加圧すると吸収した水を吐き出してしまうという欠点がある。一方、高吸水性ポリマーは、吸収機構が高分子電解質と水との親和力及び浸透圧であるため、パルプよりも大量の水を吸収することができ、また吸水状態で加圧しても簡単に水を吐き出さないという特徴を有している。
【０００３】
そこで、この高吸水性ポリマーを利用し、吸収性物品の長時間装着時や排泄量が多い条件下においても、液戻りや液漏れ、また吸収阻害を抑制するように、嵩高性のセルロースを吸収性コアに用いたり、高吸収性ポリマーの粒子形態を不定形にする生理用ナプキンが提案されている（特許文献１参照）。
【０００４】
【特許文献１】特開平７−１８４９５６号公報
【発明の開示】
【発明が解決しようとする課題】
【０００５】
しかしながら、高吸水性ポリマーは、生理食塩水や人工尿と比較して、被吸収液が血液の場合には、吸収量、吸収速度、繰り返し吸収性、またゲルブロッキングが生じることがある等、前述の生理用ナプキンでも吸収性の点で一層の向上が求められている。
【０００６】
従って、本発明の目的は、前述した従来技術が有する不都合を解消することにある。
【課題を解決するための手段】
【０００７】
本発明者らは、血液凝固剤を用いることで、前記目的を達成し得ることを知見した。即ち本発明は、血液凝固剤を含んでなる吸収性物品を提供することにより、前記目的を達成したものである。
【発明の効果】
【０００８】
本発明によれば、血液凝固剤を吸収性物品に含ませることにより、経血、循環血、脱繊維血等の血液を効果的に吸収性物品に固定化することが可能となる。これにより、多量に血液を吸収しても液戻りが少ない吸収性物品を提供できる。
【発明を実施するための最良の形態】
【０００９】
以下、本発明をその好ましい実施形態に基づき説明する。
本発明は、吸収性物品に血液凝固剤を含有させることにより、吸収した血液を吸収性物品内部で凝固、固化させることにより流動性を失わせ、圧力がかかった状態でも液戻り等を低減するものである。ここで、血液とは、人間および動物の循環血、経血、それらから特定の成分を取り除いた血液などのことである。
【００１０】
本発明における血液の凝固、固化とは、血液凝固剤と血液中の何らかの成分との相互作用により、血液全体の流動性が失われる現象を示しており、高吸水性ポリマーのように血液中の水分を吸収するものとはメカニズムが異なる。従って、血液中の何らかの成分との相互作用により血液の流動性を失わせるものであれば、いずれの物質も本発明で好適に用いることができる。
この血液の凝固作用は血液凝固剤と血液が接触すると同時に起こるため、血液中の水分を吸収する吸水ポリマーと比較して、素早く血液の流動性を失わせることが可能である。その結果、血液凝固剤を含有する吸収性物品は、液戻り等の点において優れた性能を発揮する。
【００１１】
このような作用を有する血液凝固剤としては、例えば、特定の金属塩化合物やシリカ等の無機化合物が挙げられ、金属塩化合物としては、具体的には、Ｃｕ（II）、Ｆｅ（III）、Ａｇ（I）、Ｆｅ（II）、Ｔｉ（IV）、Ｎｉ（II）などを含む金属塩化合物、さらに具体的には、硫酸銅（II）、臭化銅（II）、硫酸アンモニウム鉄（III）、硫酸鉄（III）、硫酸鉄（II）、硝酸銀（I）などを例示することができる。これらの化合物を１種単独又は２種以上を混合して用いることができる。
【００１２】
本発明における金属塩化合物の溶解性については特に制限はないが、水性液体である血液との相互作用の点から水溶性であることが望ましい。
【００１３】
本発明の血液凝固剤による血液の凝固、固化に要する時間について特に制限はないが、血液吸収時の液戻りの点から、素早く凝固、固化することが好ましい。５質量％の血液凝固剤水溶液に血液を滴下し、血液滴の状態を目視にて観察することにより求めた、血液凝固、固化に要する時間が、３分以内であるのが好ましく、１分以内がより好ましい。
【００１４】
本発明の吸収性物品は、上記血液凝固剤を含有するものであれば、構成、形状、他の成分等に制限はない。ここで、吸収性物品とは、生理用ナプキン、タンポン、パンティーライナー、創傷治療用品、ドレープ吸収材、手術用シートなど、血液等の体液を吸収することを目的とした物品のことである。
【００１５】
本発明の吸収性物品の好ましい構成としては、液透過性のトップシートと、液不透過性のバックシートと、バックシートとトップシートの間にある吸収性コアとを含んでなる構造体を挙げることができ、そのような構造体において利用価値が高い。トップシートとは、例えば生理用ナプキンならば、肌と直接接する表面材のことであり、多くは不織布やフィルムで作られ、経血を素早く透過することが機能として要求される。またバックシートとは、吸収した経血などの体液を漏らさないようにフィルム等で作られている裏面材のことであり、液体を透過しない機能が要求される。さらに、吸収性コアとはバックシートとトップシートの間にあり、経血を吸収保持する中心的部位のことである。パルプ、吸水性樹脂（高吸水性ポリマー）、紙、不織布等によって構成されており、経血を吸収・固定化する。
【００１６】
吸収性物品中の血液吸収剤の含有量に関しては、凝固剤の種類、吸収させる血液の量、使用用途等により異なるため、特に限定されないが、血液凝固性及び吸収性物品の成形性との観点から、吸収性物品全体に対して１．０〜４０質量％が好ましく、２．０〜３０質量％が更に好ましい。
【００１７】
本発明の吸収性物品は、血液凝固剤を含ませる場所について特に制限はなく、生理用ナプキンであれば、吸収性コアの上層、あるいは下層、吸収性コア全体など、含有させる場所は自由に選択することができる。血液の凝固性、装着者の肌接触性との観点からは、吸収性コアに血液凝固剤を含有させるのが好ましい。
【００１８】
また吸収性物品に含有させる手段については問わない。例えば、血液凝固剤の水溶液をスプレー等で散布し乾燥させる方法、血液凝固剤を溶解した水溶液中に含浸し乾燥させる方法などが望ましい。
【００１９】
また、本発明の吸収性物品は、従来から血液吸収材として用いられる高吸水性ポリマーやパルプ等と併用することも可能である。
【実施例】
【００２０】
以下、実施例により本発明をさらに具体的に説明する。しかし、本発明の範囲はかかる実施例に限定されるものではない。
種々の金属塩化合物の血液に対する凝固作用を表１に示す。凝固作用の測定は、５質量％濃度の金属塩化合物の水溶液２５ｇをそれぞれ調製し、この中にスポイトで２、３滴の吸収液を滴下し、１分後の様子を目視にて確認した。凝固判定基準は、滴下した瞬間の吸収液滴の形状を保持したまま凝固したものを○（凝固）、滴下後に水溶液中で吸収液が拡散して凝固したものを△（緩い凝固）、凝固しなかったものを×で示す。
【００２１】
【表１】
2005287997.tif 000002
【００２２】
種々の金属塩化合物の作用によって、脱繊維馬血や循環血を凝固させる様子が目視で確認できた。Ｎａ2+やＣａ2+を含む化合物を用いた場合や吸収対象液が生理食塩水の場合では、凝固は観察されなかった。ここで血液凝固が観察された金属塩化合物が血液凝固剤である。
【００２３】
〔実施例１〕
生理用ナプキンとして花王（株）から市販のロリエさらさらクッションウイングなし（販売名：ロリエＮｓ−１１４、ロリエは登録商標）を用いた。各生理用ナプキンのトップシートを縁部に沿って切ることにより、吸収性繊維状コアを露出させた。イオン交換水に溶解させた血液凝固剤（金属塩化合物）水溶液１０ｇを、霧状噴射機にて吹き付けて含浸させた後、室温（２２℃、５３％ＲＨ）にて１日乾燥させて、吸収性コアを再構築した。次いで、トップシートを本来の位置に戻した。
血液凝固剤は硫酸銅五水和物を用い、２０質量％水溶液を使用した。得られた生理用ナプキン全質量に対する硫酸銅含有量は２７質量％であった。
【００２４】
調製した生理用ナプキンを用いて、下記に示した方法で脱繊維馬血の液戻り量を測定した。上記生理用ナプキンを水平に置き、直径１ｃｍの注入口のついたアクリル板と重りを載せて、生理用ナプキンに４ｇ／ｃｍ2の荷重がかかるようにした。次いで注入孔から脱繊維馬血６ｇを注入した後、１分間その状態を保持した後、アクリル板と重りを外し、生理用ナプキンの上に７ｃｍ×８ｃｍで坪量３０ｇ／ｍ2の吸収紙（市販のティッシュペーパー）を１０枚重ね、試験用の生理用ナプキンの肌当接面側に載せ、７０ｇ／ｃｍ2の荷重を２分間かけた。荷重後、吸収紙１０枚を取りだし、荷重前後の吸収紙の重さを測定して、吸収紙に吸収された血液量を求めることにより、生理用ナプキンの表面から戻った血液の戻り量を求めた。結果を表２に示した。
なお、吸収液を同量の生理食塩水にした場合、液戻り量は２．２ｇであり、液戻り量の減少及び凝固は見られなかった。
【００２５】
〔実施例２〕
血液凝固剤の硫酸銅五水和物の含有量を２７質量％から１５質量％に変えた以外は、実施例１と同じ方法で血液凝固剤を含有する生理用ナプキンを作製し、血液の戻り量を評価した。結果を表２に示す。
【００２６】
〔実施例３〕
血液凝固剤の硫酸銅五水和物の含有量を１５質量％から４質量％に変えた以外は、実施例１と同じ方法で生理用ナプキンを作製し、血液の戻り量を評価した。結果を表２に示す。
【００２７】
〔実施例４〕
血液凝固剤として硫酸銅五水和物の代わりに硫酸アンモニウム鉄（III）１２水和物を用いた以外は、実施例１と同じ方法で生理用ナプキンを作製し、血液の戻り量を評価した。血液凝固剤の種類、含有量、血液戻り量を表２に示す。
【００２８】
〔実施例５〕
血液凝固剤として硫酸銅五水和物の代わりにしゅう酸チタンカリウム二水和物を用いた以外は、実施例１と同じ方法で生理用ナプキンを作製し、血液の戻り量を評価した。血液凝固剤の種類、含有量、血液戻り量を表２に示す。
【００２９】
〔比較例１〕
生理用ナプキンとして花王（株）から市販のロリエさらさらクッションウイングなし（販売名：ロリエＮｓ−１１４、ロリエは登録商標）を用いた。つまり、血液凝固剤を生理用ナプキンに添加しなかった以外は、実施例１と同じ生理用ナプキンを用い、同じ方法で液戻り量の測定を行った。結果を表２に示した。
【００３０】
〔比較例２〕
金属塩化合物として硫酸銅５水和物の代わりに塩化カルシウムを用いた以外は実施例１と同じ方法で生理用ナプキンを作製し、血液の戻り量を評価した。結果を表２に示す。
【００３１】
表２に示す結果から明らかなように、実施例では、生理用ナプキンに血液凝固剤を含浸させることによって、脱繊維馬血の液戻り量の減少が確認できた。また、脱繊維馬血が生理用ナプキン中で凝固する様子が目視にて観察された。
【００３２】
これに対して、比較例１では、血液凝固は見られなかった。また、比較例２及び３に示されるように、金属塩化合物の中でもＣａ2+の時は液戻り量に大きな変化は観察されなかった。また目視による脱繊維馬血の凝固は見られなかった。
【００３３】
【表２】
2005287997.tif 000003